(57)【要約】【課題】電気掃除機に関して、大きな掃除能力を有し、電動送風機の突入電流を小さくできる電気掃除機を提供する。【解決手段】本電気掃除機は、本体ケース内に複数個の電動送風機を備え、遅延手段により、複数個の電動送風機を順次起動することを可能にするとともに、制御手段により、複数個の電動送風機を個別に運転制御して、吸込能力の強弱制御を可能にする。【選択図】  図３
2010082181.tif 000002
【特許請求の範囲】
【請求項１】
本体ケース内に複数個の電動送風機を備え、
遅延手段により、前記複数個の電動送風機を順次起動することを可能にするとともに、制御手段により、前記複数個の電動送風機を個別に運転制御して、吸込能力の強弱制御を可能にしたことを特徴とする電気掃除機。
【請求項２】
前記複数個の電動送風機は同一の能力を備えたことを特徴とする請求項１に記載の電気掃除機。
【発明の詳細な説明】
【技術分野】
【０００１】
本発明は電気掃除機に係り、特に掃除機本体内に複数個の電動送風機を備えた電気掃除機に関する。
【背景技術】
【０００２】
近年、掃除すべき部屋が大きくなり、また、大きな部屋で使用されることが多い海外にも輸出されて使用されることが多い。
【０００３】
このように、大きな部屋に用いられる電気掃除機には、大きな掃除能力が要求され、そのため、１個の大容量の電動送風機を本体ケース内に設けていた。
【０００４】
しかし、１個の大容量の電動送風機を本体ケース内に設けた電気掃除機では、電動送風機の起動時の突入電流が大きく、商用交流電源線へ、瞬間的な電圧低下等の悪影響を与え、また、小さな場所あるいはカーテンなどを掃除する場合には、大容量の電動送風機では、吸込能力が大き過ぎて掃除がしにくく、さらに、電力を無駄に使用する問題があった。
【０００５】
また、２個の電動送風機を本体ケース内に設けた電気掃除機が用いられているが、全ての電動送風機を同時に起動させると、起動時の突入電流が大きく、商用交流電源線へ、瞬間的な電圧低下等の悪影響を与える問題があった。
【０００６】
なお、掃除状態に応じて、電動送風機の入力を補正する電気掃除機が提案されている（例えば、特許文献１参照）。
【特許文献１】特開平４−２５０１２６号公報
【発明の開示】
【発明が解決しようとする課題】
【０００７】
本発明は上述した事情を考慮してなされたもので、大きな掃除能力を有し、電気送風機の突入電流を小さくできる電気掃除機を提供することを目的とする。
【課題を解決するための手段】
【０００８】
上述した目的を達成するため、本発明に係る電気掃除機は本体ケース内に複数個の電動送風機を備え、遅延手段により、前記複数個の電動送風機を順次起動することを可能にするとともに、制御手段により、前記複数個の電動送風機を個別に運転制御して、吸込能力の強弱制御を可能にしたことを特徴とする。
【発明の効果】
【０００９】
本発明に係る電気掃除機によれば、大きな掃除能力を有し、電気送風機の突入電流を小さくできる電気掃除機を提供することができる。
【発明を実施するための最良の形態】
【００１０】
本発明の一実施形態に係る電気掃除機について図面を参照して説明する。
【００１１】
図１は、本発明の一実施形態に係る電気掃除機の概念を示す斜視図であり、図２は本発明の一実施形態に係る電気掃除機の概念を示す縦断面図である。
【００１２】
図１および図２に示すように、本実施形態に係る電気掃除機１は、掃除機本体２と、この掃除機本体２の接続口２ａに一端が着脱自在に接続され、いずれも図示しない集塵ホースとを備え、この集塵ホースの他端に操作スイッチを設けた手元操作管、この手元操作管に着脱自在に接続した延長管、この延長管の先端部に着脱自在に接続された吸込口体が接続される。
【００１３】
一方、掃除機本体２は、本体ケース３と、この本体ケース３内に着脱自在に装着される集塵ユニット４と、本体ケース３に開閉可能に設けられた蓋体５とを備える。
【００１４】
本体ケース３は集塵ユニット４の空気流方向の中心線ＣＬを通る垂直面に対して面対称の形状を有し、本体ケース３の前側には、集塵ユニット４が着脱自在に装着される集塵ユニット室６が形成され、この集塵ユニット室６の上部開口７は蓋体５によって密閉される。
【００１５】
集塵ユニット４は、いずれも図示しない、第１の塵埃除去手段と高速で流れる空気中に含まれる塵埃を遠心力で分離する遠心分離方式を採用し、第２の塵埃分離手段として、プリーツフィルタとから構成される。なお、集塵ユニットは単なる紙パックフィルタであってもよい。
【００１６】
また、本体ケース３の後側には、複数個例えば２個の同一能力例えば消費電力１ｋＷの第１の電動送風機８、第２の電動送風機９が設けられ、この第１、第２の電動送風機８、９も中心線ＣＬを通る垂直面に対して面対称に送風機収容室１０に収容、配置される。
【００１７】
集塵ユニット室６と送風機収容室１０は、仕切板１１によって仕切られ、この仕切板１１には、ガード格子１２に対向する送風機取付孔１１ａ、１１ａが、中心線ＣＬを通る垂直面に対して面対称に２個設けられ、第１、第２の電動送風機８、９はリング状の弾性部材１３、１３によって仕切板１１で弾性支持される。
【００１８】
第１、第２の電動送風機８、９は、いずれも図示しない遠心ファンと、この遠心ファンを覆うファンカバー１４、１４と、遠心ファンを出力軸を介して回転させるモータと、フレームとで構成され、ファンカバーには、上部中央に吸込開口１４ａ、１４ａが設けられ、さらに、遠心ファンの下流側には、デュフューザが連設される。
【００１９】
第１、第２の電動送風機８、９の吸込開口１４ａ、１４ａは、送風機取付孔１１ａ、１１ａに連通し、モータに設けた吐出口は本体ケース３の後部に設けた排気口２ｂ、２ｂに連通される。
【００２０】
図３に示すように、第１、第２の電動送風機８、９は、電源スイッチ１５を介して商用電源に対して並列に接続され、さらに、第１、第２の電動送風機８、９と商用電源間の分岐点には、遅延手段および制御手段をなす例えばスライドスイッチ１６が設けられる。
【００２１】
図３のＡ部に示すように、スライドスイッチ１６は、スイッチ板１６ａがポジションを保持し、位置１では、端子ｔ１〜ｔ３間の接続はなく、スライドスイッチ１６は開放されて、第１、第２の電動送風機８、９には給電されず、いずれも作動しない。
【００２２】
位置２では、端子ｔ１、ｔ２間はスイッチ板１６ａにより接続され、スライドスイッチ１６の一部は閉成されて、第１の電動送風機８に給電され、第１の電動送風機８は作動する。
【００２３】
一方、端子ｔ２、ｔ３間の接続はなく、スライドスイッチ１６の一部は開放されて、第２の電動送風機９には給電されず、作動しない。
【００２４】
位置３では、端子ｔ１〜ｔ３間はスイッチ板１６ａにより接続され、スライドスイッチ１６は閉成されて、第１、第２の電動送風機８、９に給電され、第１、第２の電動送風機８、９はいずれも作動する。
【００２５】
このように、スライドスイッチ１６を用いることで、第１の電動送風機８の１個使用、第１、第２の電動送風機８、９の２個使用を選択的に行うことができる。
【００２６】
また、スライドスイッチ１６を用いて、第１の電動送風機８および第２の電動送風機９が、時間差を設けて順次起動される。
【００２７】
なお、本実施形態では、遅延手段および制御手段として、機械的なスライドスイッチを用いる例で説明したが、電気的手段を用い、遅延手段として遅延回路、制御手段としてスイッチング素子を用いてもよい。
【００２８】
次に本発明に係る電気掃除機を用いた掃除について説明する。
【００２９】
比較的小さな場所あるいはカーテンなどを掃除する場合には、吸込能力を小さくして使用する。
【００３０】
この場合、図３に示すように、電源スイッチ１５を閉じ、しかる後、スイッチ板１６ａをスライドさせて、端子ｔ１、ｔ２間を接続し、第１の電動送風機８に給電して、第１の電動送風機８を作動させる。
【００３１】
この第１の電動送風機８は、消費電力１ｋＷであり、起動時の突入電流は小さく、商用交流電源線へ、瞬間的な電圧低下等の悪影響を与えることがない。
【００３２】
第１の電動送風機８の作動により、塵埃を含む空気は、吸込口体、延長管、手元操作管、集塵ホース、接続口２ａを介して掃除機本体２に吸込まれ、集塵ユニット４で除塵され、第１の電動送風機８を通り、排気口２ｂを介して、本体ケース３外に排出される。
【００３３】
大きな部屋を掃除する場合には、吸込能力を最大限に大きくして使用する。
【００３４】
電源スイッチ１５を閉じ、スイッチ板１６ａをスライドさせて、端子ｔ１、ｔ２間を接続し、第１の電動送風機８に給電して、第１の電動送風機８を作動させる。
【００３５】
しかる後、スイッチ板１６ａをスライドさせて、端子ｔ１〜ｔ３間を接続し、第１の電動送風機８の起動後に時間差を設けて、第２の電動送風機９を作動させる。
【００３６】
このように、第１の電動送風機８と第２の電動送風機９を、時間差を設けて起動するので、２個の電動送風機を同時に起動して起動時に大きな突入電流が発生する従来とは異なり、起動時の突入電流は小さく、商用交流電源線へ、瞬間的な電圧低下等の悪影響を与えることがない。
【００３７】
第１、第２の電動送風機８、９の作動により、大きな吸引力で吸引される塵埃を含む空気は、吸込口体、延長管、手元操作管、集塵ホース、接続口２ａを介して備掃除機本体２に吸込まれ、集塵ユニット４で除塵され、第１、第２の電動送風機８、９を通り、排気口２ｂ、２ｂを介して、本体ケース３外に排出される。
【００３８】
この第１、第２の電動送風機８、９を作動させた掃除時、第１、第２の電動送風機８、９は同一能力であり、また、第１、第２の電動送風機８、９も中心線ＣＬを通る垂直面に対して面対称に送風機収容室１０に収容、配置されるので、第１、第２の電動送風機８、９間に空気の偏流あるいは循環がなく、静かで、送風効率の低下がない。
【００３９】
さらに、第１、第２の電動送風機８，９は商用電源を印加しかつ、第１、第２の電動送風機８、９を電源の入切で制御し、インバータを用いた周波数制御で行わないので、電源回路が簡素化される。
【００４０】
本実施形態の電気掃除機によれば、大きな掃除能力を有し、電動送風機の突入電流を小さくできる電気掃除機が実現される。
【図面の簡単な説明】
【００４１】
【図１】本発明の一実施形態に係る電気掃除機の概念を示す斜視図。
【図２】本発明の一実施形態に係る電気掃除機の概念を示す縦断面図。
【図３】本発明の一実施形態に係る電気掃除機に用いる電源回路図。
【符号の説明】
【００４２】
１  電気掃除機
２  掃除機本体
２ａ  接続口
２ｂ  排気口
３  本体ケース
４  集塵ユニット
５  蓋体
６  集塵ユニット室
７  上部開口
８  第１の電動送風機
９  第２の電動送風機
１０  送風機収容室
１１  仕切板
１１ａ  送風機取付孔
１２  ガード格子
１３  弾性部材
１４  ファンカバー
１４ａ  吸込開口
１５  電源スイッチ
１６  スライドスイッチ
１６ａ  スイッチ板
ｔ１  端子
ｔ２  端子
ｔ３  端子
ＣＬ  中心線
【図１】
2010082181.tif 000003
【図２】
2010082181.tif 000004
【図３】
2010082181.tif 000005